(57)【要約】【課題】荷積作業の作業性を向上させることが可能な配置支援システム、配置支援方法、およびプログラムを提供する。【解決手段】配置支援システム１は荷積情報算出部と映像表示部２０とを備える。荷積情報算出部は荷積情報を算出する。荷積情報は、配置エリアＡ１に配置する予定の複数の荷物Ｂ１のそれぞれを配置エリアＡ１内で配置する配置予定位置の情報を少なくとも含む。映像表示部２０は、荷積情報に基づいて、複数の荷物Ｂ１のうち作業対象の荷物である作業対象物Ｂｘの配置予定位置を指示する指示映像Ｐ１を、実空間に関連付けた位置に表示する。【選択図】図１
2019104625.tif 000002
【特許請求の範囲】
【請求項１】
配置エリアに配置する予定の複数の荷物のそれぞれを前記配置エリア内で配置する配置予定位置を少なくとも含む荷積情報を算出する荷積情報算出部と、
前記荷積情報に基づいて、前記複数の荷物のうち作業対象の荷物である作業対象物の前記配置予定位置を指示する指示映像を、実空間に関連付けた位置に表示する映像表示部と、を備える
配置支援システム。
【請求項２】
前記複数の荷物のうち前記配置エリアに配置された配置済み荷物の配置状態を検出する配置検出部と、
前記配置検出部の検出結果に基づいて、前記配置エリアに配置された前記作業対象物の配置の適否を判定する判定部と、を更に備える
請求項１に記載の配置支援システム。
【請求項３】
前記映像表示部は、前記判定部が前記作業対象物の前記配置エリアへの配置が適切ではないと判定した場合、前記作業対象物の前記配置エリアへの配置が適切ではないことを示す映像、および、適切な前記配置予定位置を示す指示映像の少なくとも一方を表示する
請求項２に記載の配置支援システム。
【請求項４】
前記荷積情報算出部は、前記複数の荷物のそれぞれの属性情報に基づいて前記荷積情報を算出する
請求項１〜３のいずれか１項に記載の配置支援システム。
【請求項５】
前記属性情報は、前記複数の荷物のそれぞれが前記配置エリアから取り出される取出順に関する情報を含む
請求項４に記載の配置支援システム。
【請求項６】
前記指示映像は、前記配置エリアに前記作業対象物が配置されるときの前記作業対象物の姿勢に関する情報を含む映像である
請求項１〜５のいずれか１項に記載の配置支援システム。
【請求項７】
前記荷積情報算出部は、前記複数の荷物のそれぞれを前記配置エリアに配置する配置順と前記配置予定位置とを含む前記荷積情報を算出する
請求項１〜６のいずれか１項に記載の配置支援システム。
【請求項８】
前記複数の荷物のそれぞれには識別情報が付与され、
前記作業対象物に付与された前記識別情報を検出する識別情報検出部から前記作業対象物の前記識別情報を取得する取得部を更に備え、
前記映像表示部は、前記複数の荷物のうち前記取得部が取得した前記識別情報に対応する前記作業対象物の前記配置予定位置を指示する前記指示映像を、実空間に関連付けた位置に表示する  請求項１〜７のいずれか１項に記載の配置支援システム。
【請求項９】
前記映像表示部は、前記配置エリアにおいて実空間に関連付けた位置に前記指示映像を投影する
請求項１〜８のいずれか１項に記載の配置支援システム。
【請求項１０】
前記映像表示部は、内部空間が前記配置エリアとなる箱形の荷台の外側に配置され、前記荷台の外側から前記荷台の内部空間に向かって前記指示映像を投影する
請求項９に記載の配置支援システム。
【請求項１１】
前記複数の荷物のうち前記配置エリアに配置された配置済み荷物の配置状態を検出する配置検出部を更に備え、
前記映像表示部は、前記配置検出部の検出結果に基づいて前記指示映像を投影する投影面を求め、前記投影面に前記指示映像を投影する
請求項９又は１０に記載の配置支援システム。
【請求項１２】
前記映像表示部は、前記複数の荷物のうち前記配置エリアに配置された配置済み荷物の上面が前記作業対象物の前記配置予定位置であるときに、前記配置済み荷物に対して前記指示映像を投影する
請求項９〜１１のいずれか１項に記載の配置支援システム。
【請求項１３】
前記複数の荷物のうち前記配置エリアに配置された配置済み荷物の配置状態を検出する配置検出部を更に備え、
前記荷積情報算出部は、前記配置検出部によって検出された前記配置済み荷物の配置状態に基づいて、前記複数の荷物のうち前記配置エリアに配置されていない荷物の前記配置予定位置を再度算出する
請求項１〜１２のいずれか１項に記載の配置支援システム。
【請求項１４】
前記複数の荷物のうち前記配置エリアに配置された配置済み荷物の配置状態を検出する配置検出部と、
前記配置検出部の検出結果を出力する出力部と、を更に備える
請求項１〜１３のいずれか１項に記載の配置支援システム。
【請求項１５】
配置エリアに配置する予定の複数の荷物のそれぞれを前記配置エリア内で配置する配置予定位置を少なくとも含む荷積情報を算出する算出ステップと、
前記荷積情報に基づいて、前記複数の荷物のうち作業対象の荷物である作業対象物の配置予定位置を指示する指示映像を、実空間に関連付けた位置に表示する表示ステップと、を含む
配置支援方法。
【請求項１６】
コンピュータシステムに、
配置エリアに配置する予定の複数の荷物のそれぞれを前記配置エリア内で配置する配置予定位置を少なくとも含む荷積情報を算出する算出ステップと、
前記荷積情報に基づいて、前記複数の荷物のうち作業対象の荷物である作業対象物の配置予定位置を指示する指示映像を、映像表示部により実空間に関連付けた位置に表示させる表示制御ステップと、を実行させるための
プログラム。
【発明の詳細な説明】
【技術分野】
【０００１】
本開示は、配置支援システム、配置支援方法、およびプログラムに関する。より詳細には、本開示は、荷物を積む荷積作業を支援する配置支援システム、配置支援方法、およびプログラムに関する。
【背景技術】
【０００２】
従来、倉庫から出した積荷を輸送手段に移送する荷積作業を指示する荷積作業指示システムがあった（例えば特許文献１参照）。
【０００３】
この荷積作業指示システムでは、積荷を運ぶトラックが停車するバースが複数ある。複数のバースに隣接して、複数のバースのそれぞれに停車するトラック用の荷積作業スペースが設けられている。出荷計画に基づいて倉庫から出した積荷はパレットに載せられる。積荷が載せられたパレットは、フォークリフトによって積込先のトラックに対応した荷積作業スペースに運ばれる。この荷積作業指示システムは、トラックごとの積荷量をパレット数に換算し、トラックごとにパレットの置き場所を荷積作業スペースに割り当てる。そして、荷積作業指示システムは、トラックごとにパレットを搬送すべき配置位置がどの区画であるかを、荷積作業スペースに設けられた表示装置によって表示する。
【先行技術文献】
【特許文献】
【０００４】
【特許文献１】特開２００１−３０１９２７号公報
【発明の概要】
【発明が解決しようとする課題】
【０００５】
特許文献１に記載の荷積作業指示システムにおいて、積荷が載せられたパレットをフォークリフトで運ぶ際に、パレットに積荷を載せる載せ方が悪いと、フォークリフトが急発進又は急停止した場合に積荷が崩れる可能性があった。積荷が崩れると、パレットに積荷を再び載せる作業が必要になるので、荷積作業の作業性が悪化するという問題があった。
【０００６】
本開示の目的は、荷積作業の作業性を向上させることが可能な配置支援システム、配置支援方法、およびプログラムを提供することにある。
【課題を解決するための手段】
【０００７】
本開示の一態様の配置支援システムは、荷積情報算出部と、映像表示部と、を備える。前記荷積情報算出部は、配置エリアに配置する予定の複数の荷物のそれぞれを前記配置エリア内で配置する配置予定位置を少なくとも含む荷積情報を算出する。前記映像表示部は、前記荷積情報に基づいて、前記複数の荷物のうち作業対象の荷物である作業対象物の前記配置予定位置を指示する指示映像を、実空間に関連付けた位置に表示する。
【０００８】
本開示の一態様の配置支援方法は、算出ステップと、表示ステップと、を含む。前記算出ステップでは、配置エリアに配置する予定の複数の荷物のそれぞれを前記配置エリア内で配置する配置予定位置を少なくとも含む荷積情報を算出する。前記表示ステップでは、前記荷積情報に基づいて、前記複数の荷物のうち作業対象の荷物である作業対象物の配置予定位置を指示する指示映像を、実空間に関連付けた位置に表示する。
【０００９】
本開示の一態様のプログラムは、コンピュータシステムに、算出ステップと、表示制御ステップと、を実行させるためのプログラムである。前記算出ステップでは、配置エリアに配置する予定の複数の荷物のそれぞれを前記配置エリア内で配置する配置予定位置を少なくとも含む荷積情報を算出する。前記表示制御ステップでは、前記荷積情報に基づいて、前記複数の荷物のうち作業対象の荷物である作業対象物の配置予定位置を指示する指示映像を、映像表示部により実空間に関連付けた位置に表示させる。
【発明の効果】
【００１０】
本開示によれば、荷積作業の作業性を向上させることが可能な配置支援システム、配置支援方法、およびプログラムを提供できる。
【図面の簡単な説明】
【００１１】
【図１】図１は、本開示の実施形態１に係る配置支援システムがトラックへの荷積作業を支援する場合の説明図である。
【図２】図２は、同上の配置支援システムがトラックへの荷積作業を支援する場合の説明図である。
【図３】図３は、同上の配置支援システムのブロック図である。
【図４】図４は、同上の配置支援システムの動作を示すフローチャートである。
【図５】図５は、本開示の実施形態１の変形例に係る配置支援システムの映像表示部が投影する指示映像の説明図である。
【図６】図６は、本開示の実施形態１の変形例に係る配置支援システムがパレットへの荷積作業を支援する場合の説明図である。
【発明を実施するための形態】
【００１２】
（実施形態１）
（１）概要
実施形態１に係る配置支援システム１では、荷物の配置エリアがトラックの荷台であり、トラックの荷台に荷物を配置する作業を支援する。
【００１３】
配置支援システム１は、図１及び図２に示すように、例えば倉庫などの施設２００の荷捌き場２０１において、トラック１００の荷台１１０に、作業者３００が荷物Ｂ１を積み込む荷積作業を支援する。作業者３００は、例えばトラック１００の運転手などである。荷物Ｂ１は例えば物品が入った段ボール箱である。複数の荷物Ｂ１のそれぞれには識別情報が付与されている。荷物Ｂ１の側面、つまり段ボール箱の側面には識別情報として例えばバーコードＣ１（一次元バーコード又は二次元バーコード）が表示されている。ここで、段ボール箱の側面にバーコードＣ１が印刷されていてもよいし、バーコードＣ１が印刷されたシールが段ボール箱の側面に貼り付けられていてもよい。
【００１４】
施設２００には、倉庫内にある荷物Ｂ１をトラック１００の荷台１１０まで搬送するベルトコンベア２１０，２１１が設置されている。ベルトコンベア２１０は、倉庫内の荷物Ｂ１を荷捌き場２０１まで搬送する。ベルトコンベア２１１の一部はトラック１００の荷台１１０まで入り込んでおり、ベルトコンベア２１１はベルトコンベア２１０によって搬送された荷物Ｂ１をトラック１００の荷台１１０まで搬送する。作業者３００は、ベルトコンベア２１１によって荷台１１０に運ばれる複数の荷物Ｂ１を、荷台１１０に積み込む作業を行う。
【００１５】
本実施形態の配置支援システム１は、図３に示すように、荷積情報算出部１４と、映像表示部２０と、を備える。
【００１６】
荷積情報算出部１４は荷積情報を算出する。荷積情報は、配置エリアＡ１（本実施形態では箱形の荷台１１０の内部空間）に配置する予定の複数の荷物Ｂ１のそれぞれを配置エリアＡ１内で配置する配置予定位置の情報を少なくとも含む。
【００１７】
映像表示部２０は、荷積情報に基づいて、複数の荷物Ｂ１のうち作業対象の荷物である作業対象物Ｂｘの配置予定位置を指示する指示映像Ｐ１を、実空間に関連付けた位置に表示する。
【００１８】
これにより、配置エリアＡ１に作業対象物Ｂｘを配置する作業を行う作業者は、実空間に関連付けた位置に表示された指示映像Ｐ１を見て作業を行うことができ、作業対象物Ｂｘを配置する位置を間違えにくくなるので、荷積作業の作業性の向上を図ることができる。また、荷積情報算出部１４が複数の荷物Ｂ１の配置予定位置を含む荷積情報を算出するので、作業者の負担を減らすことができ、荷積作業の作業性の向上を図ることができる。
【００１９】
ここにおいて、作業対象物Ｂｘは、複数の荷物Ｂ１のうち作業対象の荷物であって、作業者３００が次に配置エリアＡ１に配置する対象の荷物である。
【００２０】
また、実空間に関連づけた位置に指示映像Ｐ１を表示するとは、実空間のある位置に直接表示することを含み、指示映像Ｐ１が表示される実空間の位置の座標を、映像表示部２０が指示映像Ｐ１を表示する表示領域の座標に変換した位置に表示することを含む。つまり、指示映像Ｐ１は、映像表示部２０によって実空間のある位置に直接表示される場合と、映像表示部２０の表示面に表示される場合とがある。
【００２１】
映像表示部２０が、実空間の物体に映像を投影する投影装置である場合、映像表示部２０の表示領域は実空間になり、指示映像Ｐ１は実空間に直接表示される。映像表示部２０は、実空間に関連付けた位置として、実空間のある位置に指示映像Ｐ１を表示する。ここで、映像表示部２０は、実空間における指示映像Ｐ１の投影位置の座標を、映像表示部２０の表示領域の座標に変換した（関連付けた）位置に指示映像Ｐ１を投影してもよい。
【００２２】
映像表示部２０は、透過型のディスプレイを通して見える実空間に指示映像Ｐ１を重畳して表示する拡張現実感（AR：augmented reality）に対応した透過型のヘッドマウントディスプレイでもよい。この場合、映像表示部２０が指示映像Ｐ１を表示する表示領域はヘッドマウントディスプレイの表示面となり、この表示面に指示映像Ｐ１が表示される。映像表示部２０は、実空間における指示映像Ｐ１の仮想の表示位置の座標を、ヘッドマウントディスプレイの表示面の座標に変換した（関連付けた）位置に、指示映像Ｐ１を表示する。
【００２３】
また、映像表示部２０は、例えば実空間をカメラで撮影した映像に基づいて作成される実空間の画像に指示映像Ｐ１を重畳して表示する非透過型のヘッドマウントディスプレイ、又は、タブレット端末等の情報端末でもよい。この場合、映像表示部２０が指示映像Ｐ１を表示する表示領域は非透過型のヘッドマウントディスプレイ又は情報端末のディスプレイの表示面となり、ヘッドマウントディスプレイ又は情報端末のディスプレイに指示映像Ｐ１が表示される。そして、映像表示部２０は、実空間における指示映像Ｐ１の仮想の表示位置の座標を、ヘッドマウントディスプレイ又は情報端末のディスプレイの表示面の座標に変換した（関連付けた）位置に、指示映像Ｐ１を表示する。
【００２４】
なお、本実施形態の施設２００には複数の荷捌き場２０１があり、配置支援システム１は、複数の荷捌き場２０１のそれぞれでトラック１００の荷台１１０に荷物Ｂ１を積み込む作業を支援することができる。配置支援システム１が、複数の配置エリアＡ１において荷物Ｂ１を配置する作業を行うことは必須ではなく、配置エリアＡ１は１つでもよいし、２つ以上でもよい。
【００２５】
（２）詳細
（２．１）構成
以下、実施形態１に係る配置支援システム１について図面を参照して詳しく説明する。
【００２６】
本実施形態の配置支援システム１は、図３に示すように、処理装置１０と、映像表示部２０と、配置検出部３０と、識別情報検出部４０とを備える。
【００２７】
映像表示部２０は、例えば、画像を投影面に投影することによって画像を表示するプロジェクタ（投影装置）２１を備える（図１参照）。映像表示部２０は、複数の荷物Ｂ１の配置エリアＡ１を構成する荷台１１０の内面（床面１１１及び側面１１２）と、配置エリアＡ１に配置された配置済み荷物との少なくとも一方を投影面とする。映像表示部２０は、例えば、荷捌き場２０１の天井２０２に取り付けられている。映像表示部２０は、ネットワーク５０を介して処理装置１０と通信する通信機能を有している。なお、本実施形態では、映像表示部２０と処理装置１０との間の通信は有線通信方式であるが、無線通信方式でもよい。
【００２８】
映像表示部２０は、処理装置１０から受信した画像データをもとに、投影面に画像を投影することによって、投影面に指示映像Ｐ１を表示する。映像表示部２０は、配置エリアＡ１において実空間に関連付けた位置（つまり指示映像Ｐ１を表示させたい位置）に指示映像Ｐ１を投影する。作業者３００は、配置エリアＡ１に存在する物体に投影された指示映像Ｐ１を見ながら、作業対象物Ｂｘを配置する作業を行うことができ、荷積作業の作業性の向上を図ることができる。また、映像表示部２０は、内部空間が配置エリアＡ１となる箱形の荷台１１０の外側に配置され、荷台１１０の外側から荷台１１０の内部空間に向かって指示映像を投影する。したがって、映像表示部２０を荷台１１０の外側に配置できるので、個々のトラック１００が映像表示部２０を備える必要がない。
【００２９】
配置検出部３０は、例えば、配置エリアＡ１を少なくとも含む領域を撮影領域とするレーザー測距式の距離画像センサ３１（図１参照）を備える。距離画像センサ３１はＴＯＦ（Time of Flight）方式のセンサである。距離画像センサ３１は、配置エリアＡ１に向かって赤外光を照射し、対象物で反射された赤外光が戻ってくるまでの光の飛行時間（時間差）を検出することで、対象物までの距離を測定する。配置検出部３０は、例えば、荷捌き場２０１の天井２０２に取り付けられており、映像表示部２０の下側に取り付けられている。配置検出部３０は、複数の荷物Ｂ１のうち配置エリアＡ１に配置された配置済み荷物Ｂ１（作業対象物Ｂｘを含む）の配置状態を検出する。本実施形態では、配置検出部３０は、距離画像センサ３１により配置エリアＡ１の距離画像データを測定することで、配置エリアＡ１に配置された配置済み荷物Ｂ１の配置状態を検出し、距離画像データを処理装置１０に送信する。本実施形態では、配置検出部３０と処理装置１０との間の通信は有線通信方式であるが、無線通信方式でもよい。
【００３０】
識別情報検出部４０は、複数ある荷物Ｂ１のうち作業対象の荷物である作業対象物Ｂｘに付与された識別情報を検出する。識別情報検出部４０は、荷物Ｂ１に表示されたバーコードＣ１を読み取るバーコードリーダ４１（図１参照）を備える。識別情報検出部４０は、ベルトコンベア２１１によって搬送される荷物Ｂ１に表示されたバーコードＣ１を読み取り可能な位置に設けられている。識別情報検出部４０は、ネットワーク５０を介して処理装置１０と通信する通信機能を有している。識別情報検出部４０は、作業対象物Ｂｘから読み取った識別情報を含むデータを処理装置１０に送信する。本実施形態では、識別情報検出部４０と処理装置１０との間の通信は有線通信方式であるが、無線通信方式でもよい。
【００３１】
処理装置１０は、演算処理部１１と、通信部１２と、記憶部１３とを備える。
【００３２】
通信部１２は、例えば、Ｅｔｈｅｒｎｅｔ（登録商標）の規格に準拠した有線通信方式で通信する。通信部１２は、ネットワーク５０を介して、映像表示部２０、配置検出部３０及び識別情報検出部４０との間で通信を行う。本実施形態では、通信部１２の通信方式は有線通信方式であるが、無線通信方式でもよい。
【００３３】
記憶部１３は、例えば、電気的に書き換え可能なＥＥＰＲＯＭ（Electrically Erasable Programmable Read-Only Memory）などの不揮発性メモリを備える。記憶部１３は、トラック１００に積み込む予定の荷物Ｂ１の属性情報を、荷物Ｂ１の識別情報と対応付けて記憶する。
【００３４】
ここで、属性情報は、荷物Ｂ１の外形寸法（縦、横、高さの寸法）及び重量に関する情報を含む。本実施形態では、属性情報は、荷物Ｂ１を取り扱う際の注意事項（例えば、割れ物、配置エリアＡ１に配置されるときの荷物Ｂ１の姿勢、荷物Ｂ１の向きなど）に関する情報を含む。また、本実施形態では、属性情報は、複数の荷物Ｂ１のそれぞれが荷台１１０から取り出される取出順に関する情報を含む。例えば、トラック１００に積まれる複数の荷物Ｂ１の配送先が２以上ある場合、複数の荷物Ｂ１のそれぞれに、荷物Ｂ１を下ろす順番が取出順として記憶部１３に記憶される。
【００３５】
なお、記憶部１３は、ハードディスクドライブ等の補助記憶装置を備えるものでもよい。また、記憶部１３は、処理装置１０の外部に設けられてもよく、ネットワーク５０を介して処理装置１０と通信するサーバ装置に備えられてもよい。
【００３６】
演算処理部１１は、例えば、プロセッサ及びメモリを有するマイクロコンピュータで構成されている。つまり、演算処理部１１は、プロセッサ及びメモリを有するコンピュータシステムで実現されている。そして、プロセッサが適宜のプログラムを実行することにより、コンピュータシステムが演算処理部１１として機能する。プログラムは、メモリに予め記録されていてもよいし、インターネット等の電気通信回線を通じて、又はメモリカード等の非一時的な記録媒体に記録されて提供されてもよい。本実施形態の演算処理部１１は、荷積情報算出部１４、表示制御部１５、判定部１６、取得部１７、及び出力部１８の機能を備える。
【００３７】
荷積情報算出部１４は、配置エリアＡ１に配置する予定、つまりトラック１００の荷台１１０に積み込む予定の複数の荷物Ｂ１のそれぞれについて荷積情報を算出する。荷積情報は、配置エリアＡ１（本実施形態ではトラック１００の荷台１１０）に配置する予定の複数の荷物Ｂ１のそれぞれを配置エリアＡ１内で配置する配置予定位置を少なくとも含む。具体的には、荷積情報算出部１４は、記憶部１３から、トラック１００の荷台１１０に積み込む予定の複数の荷物Ｂ１の属性情報を取得する。荷積情報算出部１４は、複数の荷物Ｂ１の属性情報に基づいて、複数の荷物Ｂ１のそれぞれを配置エリアＡ１内で配置する配置予定位置を含む荷積情報を算出する。つまり、荷積情報算出部１４は、複数の荷物Ｂ１を配置エリアＡ１に配置する積み方（配置予定位置）を算出する。例えば、荷積情報算出部１４は、複数の荷物Ｂ１のうち重量が重い荷物Ｂ１を下側に配置するように配置予定位置を算出する。このように、荷積情報算出部１４は、配置エリアＡ１に配置する予定の複数の荷物Ｂ１の属性情報に基づいて荷積情報を算出しており、配置予定の荷物Ｂ１の数や種類に応じて、最適な配置予定位置を決定できる。また、属性情報は取出順に関する情報を含んでおり、荷積情報算出部１４は、複数の荷物Ｂ１の取出順に基づいて、複数の荷物Ｂ１の配置予定位置を含む荷積情報を算出することができる。例えば、荷積情報算出部１４は、複数の荷物Ｂ１のうち取出順が遅い荷物Ｂ１を配置エリアＡ１において出入口１１３から遠い位置に配置するように配置予定位置を算出する。荷積情報算出部１４は、複数の荷物Ｂ１のうち取出順が早い荷物Ｂ１を配置エリアＡ１において出入口１１３に近い位置に配置するように配置予定位置を算出する。したがって、荷積情報算出部１４は、複数の荷物（Ｂ１）の取出作業を容易に行えるように、配置予定位置を算出することができる。
【００３８】
取得部１７は、識別情報検出部４０から送信された作業対象物Ｂｘの識別情報を取得する。取得部１７は取得した識別情報を表示制御部１５に出力する。
【００３９】
表示制御部１５は、荷積情報に基づいて、複数の荷物Ｂ１のうち作業対象の荷物である作業対象物Ｂｘの配置予定位置を示す指示映像Ｐ１を、映像表示部２０により実空間に関連付けた位置に表示させる。具体的には、表示制御部１５は、荷積情報算出部１４によって算出された荷積情報と、取得部１７が取得した作業対象物Ｂｘの識別情報とに基づいて、作業対象物Ｂｘの配置予定位置を示す指示映像Ｐ１の画像データを作成する。表示制御部１５は、作成した指示映像Ｐ１の画像データを映像表示部２０に送信する。映像表示部２０は、画像データを受信すると、画像データに基づいて作成した画像を投影面に投影することで、投影面に指示映像Ｐ１を表示する。
【００４０】
判定部１６は、配置検出部３０の検出結果に基づいて、配置エリアＡ１に配置された作業対象物Ｂｘの配置の適否を判定する。判定部１６は、配置検出部３０から処理装置１０に送信された距離画像の画像データをもとに、配置エリアＡ１における荷物Ｂ１の配置状態を求める。判定部１６は、荷積情報算出部１４が算出した荷積情報をもとに、荷積情報算出部１４によって算出された荷物Ｂ１の配置予定位置と、作業対象物Ｂｘの実際の配置位置との誤差の有無を求める。
【００４１】
例えば、荷積情報算出部１４によって算出された荷物Ｂ１の配置予定位置と作業対象物Ｂｘの配置位置との誤差が閾値以下である場合、判定部１６は、作業対象物Ｂｘの配置位置が適切であると判定する。荷積情報算出部１４によって算出された荷物Ｂ１の配置予定位置と作業対象物Ｂｘの実際の配置位置との誤差が閾値よりも大きい場合、判定部１６は、作業対象物Ｂｘの配置位置が不適切であると判定する。このように、判定部１６は、配置検出部３０の検出結果に基づいて、配置エリアＡ１に配置された作業対象物Ｂｘの配置の適否を判定しており、判定部１６の判定結果を作業対象物Ｂｘ又は配置済み荷物Ｂ１の配置の修正などに利用できる。
【００４２】
出力部１８は、配置検出部３０によって検出された複数の荷物Ｂ１の配置状態を出力する。出力部１８は、例えば作業者３００が所持する携帯端末に、複数の荷物Ｂ１の配置状態を示す電子データを出力する。このように、出力部１８は配置検出部３０の検出結果を出力しており、配置検出部３０の検出結果を、荷物Ｂ１を配置エリアＡ１から移動させる際などに利用できる。ここで、出力の態様は、複数の荷物Ｂ１の配置状態を示す電子データの出力に限定されず、複数の荷物Ｂ１の配置状態を示すリストをプリントアウト（印刷）してもよい。
【００４３】
（動作）
実施形態１に係る配置支援システム１の動作について図４などを参照して説明する。
【００４４】
まず、処理装置１０に、配置エリアであるトラック１００の荷台１１０に配置する予定、つまり荷台１１０に積む予定の複数の荷物Ｂ１の属性情報とその識別情報を入力する（Ｓ１）。ユーザ（作業者３００など）は荷物Ｂ１の属性情報及び識別情報を処理装置１０に直接入力してもよいし、処理装置１０はネットワーク５０に接続された他のコンピュータから荷物Ｂ１の属性情報及び識別情報を取得してもよい。
【００４５】
処理装置１０の荷積情報算出部１４は、荷台１１０に積む予定の複数の荷物Ｂ１の属性情報及び識別情報を取得すると、複数の荷物Ｂ１のそれぞれを荷台１１０に配置する配置予定位置を含む荷積情報を算出する（Ｓ２）。
【００４６】
その後、ベルトコンベア２１０，２１１によってトラック１００の荷台１１０まで荷物Ｂ１（作業対象物Ｂｘ）が運ばれてくると、識別情報検出部４０が作業対象物Ｂｘに表示された識別情報を検出する（Ｓ３：Ｙｅｓ）。識別情報検出部４０は、識別情報の検出結果を処理装置１０に送信する。
【００４７】
処理装置１０の取得部１７が識別情報検出部４０から送信された識別情報を受信すると、表示制御部１５は、複数の荷物Ｂ１のうち取得部１７が取得した識別情報に対応する荷物Ｂ１を作業対象物Ｂｘとする。そして、表示制御部１５は、荷積情報に基づいて作業対象物Ｂｘの配置予定位置を求め、この配置予定位置を指示する指示映像を、実空間に関連付けた位置に表示させるための画像データを通信部１２から映像表示部２０に送信させる。これにより、映像表示部２０は、複数の荷物Ｂ１のうち取得部１７が取得した識別情報に対応する作業対象物Ｂｘの配置予定位置を指示する指示映像Ｐ１を、実空間に関連付けた位置に表示する。
【００４８】
映像表示部２０は、処理装置１０から画像データを受信すると、画像データに基づいて作成した画像を投影面に投影することで（Ｓ４）、投影面に指示映像Ｐ１を表示する。図１及び図２の例では、指示映像Ｐ１は作業対象物Ｂｘを置く場所（例えば配置済みの荷物Ｂ１の上面）を示す長方形のマークであり、映像表示部２０は指示映像Ｐ１を配置済みの荷物Ｂ１の上面に投影する。このように、複数の荷物Ｂ１のうち配置エリアＡ１に配置された配置済み荷物Ｂ１の上面が作業対象物Ｂｘの配置予定位置であるとき、映像表示部２０は、配置済み荷物Ｂ１に対して指示映像Ｐ１を投影する。図１及び図２の例では、作業対象物Ｂｘを置く荷物Ｂ１の上面に指示映像Ｐ１表示される。したがって、作業者３００は指示映像Ｐ１をもとに作業対象物Ｂｘを置く場所を容易に理解でき、荷物Ｂ１を配置する荷積作業の作業性の向上を図ることができる。また、映像表示部２０は、配置検出部３０の検出結果に基づいて指示映像Ｐ１を投影する投影面を求め、この投影面に指示映像Ｐ１を投影する。したがって、映像表示部２０は、配置エリアＡ１に配置された配置済み荷物Ｂ１を考慮して指示映像Ｐ１を投影する投影面を決定できる。
【００４９】
配置検出部３０は、配置エリアＡ１の距離画像を間欠的に撮影し、距離画像の画像データを処理装置１０に送信する。判定部１６は、配置検出部３０から受信した画像データと、それ以前に配置検出部３０から受信した画像データとの差分を求め、差分と基準値との大小を比較する（Ｓ５）。
【００５０】
差分が基準値以下であれば（Ｓ５：Ｎｏ）、判定部１６は、配置検出部３０からの画像データの受信待ちを行い、配置検出部３０から画像データを受信すると、ステップＳ５の処理を繰り返す。
【００５１】
一方、差分が基準値を超えると（Ｓ５：Ｙｅｓ）、判定部１６は、配置エリアＡ１に新たな荷物Ｂ１が置かれたと判定し、配置エリアＡ１に配置する荷物Ｂ１が残っているか否かを判定する（Ｓ６）。
【００５２】
ステップＳ６の判定処理で配置エリアＡ１に配置する荷物Ｂ１が残っていない場合（Ｓ６：Ｎｏ）、処理装置１０は荷物Ｂ１の配置を支援する処理を終了する。
【００５３】
ステップＳ６の判定処理で配置エリアＡ１に配置する荷物Ｂ１が残っている場合（Ｓ６：Ｙｅｓ）、判定部１６は、配置検出部３０の検出結果をもとに配置エリアＡ１における荷物Ｂ１の配置状態を求める。そして、判定部１６は、配置エリアＡ１における荷物Ｂ１の配置状態に基づいて配置エリアＡ１に配置された作業対象物Ｂｘの配置の適否を判定する。すなわち、判定部１６は、配置検出部３０の検出結果から求めた荷物Ｂ１の配置状態と、荷積情報算出部１４が算出した荷積情報（つまり、複数の荷物Ｂ１のレイアウト）との誤差を求める。
【００５４】
荷物Ｂ１の配置状態と荷積情報との誤差が閾値以下であれば（Ｓ７：Ｎｏ）、判定部１６は、作業対象物Ｂｘの配置が適切であると判定し、ステップＳ３に移行して次の荷物Ｂ１の配置を支援する処理を行う。
【００５５】
一方、荷物Ｂ１の配置状態と荷積情報との誤差が閾値を超えていると（Ｓ７：Ｙｅｓ）、判定部１６は作業対象物Ｂｘの配置が不適切であると判定し、ステップＳ２に移行して荷積情報算出部１４は荷積情報を再度算出する。つまり、作業者３００が作業対象物Ｂｘを配置予定位置と異なる位置に置いた場合、荷積情報算出部１４は、配置エリアＡ１における現在の荷物Ｂ１の配置状態に基づいて、配置予定の荷物Ｂ１の配置予定位置を再度算出する。したがって、作業対象物Ｂｘの置き方が悪かった場合や、作業者３００が意図的に作業対象物Ｂｘを配置予定位置と異なる位置に置いた場合でも、現在の荷物Ｂ１の配置状態に基づいて、残りの荷物Ｂ１の配置位置を決定できる。
【００５６】
なお、判定部１６が作業対象物Ｂｘの配置が不適切であると判定した場合、表示制御部１５は、作業対象物Ｂｘの配置エリアＡ１への配置が適切ではないことを示す映像を映像表示部２０に表示させてもよい。例えば、表示制御部１５は、適切でない位置に置かれた作業対象物Ｂｘに、配置が間違っていることを示す画像（マーク、文字など）を投影する。これにより、配置支援システム１は、作業者３００に対して、作業対象物Ｂｘの配置が不適切であることを気付かせることができる。なお、判定部１６が作業対象物Ｂｘの配置が不適切であると判定した場合、配置支援システム１は、音声などで警告を出力してもよく、作業者３００に対して、作業対象物Ｂｘの配置が不適切であることを気付かせることができる。
【００５７】
また、判定部１６が作業対象物Ｂｘの配置が不適切であると判定した場合、表示制御部１５は、作業対象物Ｂｘの適切な配置予定位置を示す指示映像を映像表示部２０に表示させてもよい。これにより、配置支援システム１は、作業者３００に対して、作業対象物Ｂｘの正しい配置予定位置を再度提示することができる。
【００５８】
このように、判定部１６が作業対象物Ｂｘの配置が不適切であると判定した場合、映像表示部２０は第１処理を行う。第１処理は、映像表示部２０が、作業対象物Ｂｘの配置エリアＡ１への配置が適切ではないことを示す映像と、適切な配置予定位置を示す指示映像との少なくとも一方を表示する処理である。映像表示部１５が第１処理を行うことで、作業者３００に対して、作業対象物Ｂｘの配置が不適切であること、又は作業対象物Ｂｘの適切な配置予定位置を提示することができる。
【００５９】
また、ステップＳ６において残りの荷物Ｂ１がないと判定された場合に、判定部１６が、配置検出部３０の検出結果をもとに配置エリアＡ１における荷物Ｂ１の配置状態を求め、配置エリアＡ１に配置された作業対象物Ｂｘの配置の適否を判定してもよい。例えば、判定部１６は、配置検出部３０の検出結果から求めた荷物Ｂ１の配置状態と、荷積情報算出部１４が算出した荷積情報（つまり、複数の荷物Ｂ１の配置予定位置）との誤差を求める。荷物Ｂ１の配置状態と配置予定位置との誤差が閾値以下であれば、判定部１６は、作業対象物Ｂｘの配置が適切であると判定して処理を終了する。一方、荷物Ｂ１の配置状態と配置予定位置との誤差が閾値を超えていると、判定部１６は作業対象物Ｂｘの配置が不適切であると判定する。そして、判定部１６によって作業対象物Ｂｘの配置が不適切であると判定されると、映像表示部２０が、作業対象物Ｂｘの配置エリアＡ１への配置が適切ではないことを示す映像と、適切な配置予定位置を示す指示映像との少なくとも一方を表示すればよい。
【００６０】
（３）変形例
上記実施形態は、本開示の様々な実施形態の一つに過ぎない。上記実施形態は、本開示の目的を達成できれば、設計等に応じて種々の変更が可能である。また、配置支援システム１と同様の機能は、配置支援方法、コンピュータプログラム、又はプログラムを記録した非一時的な記録媒体等で具現化されてもよい。一態様に係る配置支援方法は、算出ステップと、表示ステップとを有する。算出ステップでは、配置エリアＡ１に配置する予定の複数の荷物Ｂ１のそれぞれを配置エリアＡ１内で配置する配置予定位置を少なくとも含む荷積情報を算出する。表示ステップでは、荷積情報に基づいて、複数の荷物Ｂ１のうち作業対象の荷物である作業対象物Ｂｘの配置予定位置を指示する指示映像Ｐ１を、実空間に関連付けた位置に表示する。
【００６１】
また、一態様に係るプログラムは、コンピュータシステムに、算出ステップと、表示制御ステップとを実行させるためのプログラムである。算出ステップでは、配置エリアＡ１に配置する予定の複数の荷物Ｂ１のそれぞれを配置エリアＡ１内で配置する配置予定位置を少なくとも含む荷積情報を算出する。表示制御ステップでは、荷積情報に基づいて、複数の荷物Ｂ１のうち作業対象の荷物である作業対象物Ｂｘの配置予定位置を指示する指示映像Ｐ１〜Ｐ３を、映像表示部２０により実空間に関連付けた位置に表示させる。
【００６２】
一態様に係る配置支援方法及びプログラムによれば、荷積作業の作業性の向上を図ることができる。
【００６３】
以下、上記の実施形態の変形例を列挙する。以下に説明する変形例は、適宜組み合わせて適用可能である。
【００６４】
本開示における配置支援システム又は配置支援方法の実行主体は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における配置支援システム又は配置支援方法の実行主体としての機能が実現される。プログラムは、コンピュータシステムのメモリに予め記録されていてもよいが、電気通信回線を通じて提供されてもよいし、コンピュータシステムで読み取り可能な非一時的な記録媒体に記録されて提供されてもよい。コンピュータシステムで読み取り可能な非一時的な記録媒体は、メモリカード、光学ディスク、ハードディスクドライブ等である。コンピュータシステムのプロセッサは、半導体集積回路（ＩＣ）又は大規模集積回路（ＬＳＩ）を含む１又は複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００６５】
実施形態１の配置支援システム１は、荷積情報算出部１４、表示制御部１５、判定部１６、取得部１７、及び出力部１８の機能を有する処理装置１０と、映像表示部２０と、配置検出部３０と、識別情報検出部４０とで実現されているが、この構成に限定されない。荷積情報算出部１４、表示制御部１５、判定部１６、取得部１７、出力部１８、映像表示部２０、配置検出部３０、及び識別情報検出部４０の機能が１つのシステムに集約され、１つの筐体に収まる１つの装置にて実現されてもよい。また、荷積情報算出部１４、表示制御部１５、判定部１６、取得部１７、出力部１８、映像表示部２０、配置検出部３０、及び識別情報検出部４０の機能が、２つ以上のシステムで実現されてもよい。つまり、荷積情報算出部１４、表示制御部１５、判定部１６、取得部１７、出力部１８、映像表示部２０、配置検出部３０、及び識別情報検出部４０の機能が２つ以上のシステム又は装置に分散して設けられてもよい。また、配置支援システム１の機能が、複数のシステムに分散して設けられていてもよい。また、配置支援システム１の少なくとも一部の機能は、例えば、クラウド（クラウドコンピューティング）によって実現されてもよい。
【００６６】
実施形態１の配置支援システム１において、荷積情報算出部１４は、複数の荷物Ｂ１のそれぞれを配置エリアＡ１に配置する配置順と配置予定位置とを含む荷積情報を算出してもよい。この場合、荷積情報には配置順と配置予定位置の情報が含まれており、演算処理部１１は、作業対象物Ｂｘの配置順が荷積情報に含まれる配置順と異なる場合は、その旨を通知する映像を映像表示部２０に表示させてもよい。例えば、作業対象物Ｂｘの配置順が現在の順番よりも後の場合、演算処理部１１はその旨を通知する映像を映像表示部２０に表示させており、作業者３００は作業対象物Ｂｘの配置を後回しにすることができる。
【００６７】
実施形態１において、配置エリアＡ１に荷物Ｂ１が配置されると、荷積情報算出部１４が、配置検出部３０によって検出された配置済み荷物Ｂ１の配置状態に基づいて、配置エリアＡ１に配置されていない荷物Ｂ１の配置予定位置を再度算出してもよい。これにより、荷積情報算出部１４は、配置済み荷物Ｂ１の配置状態を考慮して、複数の荷物Ｂ１のうち配置エリアＡ１に配置されていない荷物Ｂ１の配置予定位置を算出し直すことができる。
【００６８】
実施形態１において、測定データなどの２値の比較において、「より大きい」としているところは「以上」であってもよい。つまり、２値の比較の比較において、２値が等しい場合を含むか否かは、基準値等の設定次第で任意に変更できるので、「より大きい」か「以上」かに技術上の差異はない。同様に、「以下」としているところは「未満」であってもよい。
【００６９】
実施形態１では、指示映像Ｐ１が、作業対象物Ｂｘを置く場所を所定の色で表す長方形状のマークであったが、指示映像Ｐ１の形状は適宜変更が可能である。指示映像Ｐ１が、配置エリアＡ１に作業対象物Ｂｘが配置されるときの作業対象物Ｂｘの姿勢に関する情報を含んでもよい。例えば、作業対象物Ｂｘを置くときの姿勢が決められている場合、表示制御部１５が作業対象物Ｂｘの姿勢に関する情報を含む指示映像Ｐ１を映像表示部２０に表示させればよく、適切な姿勢で作業対象物Ｂｘを配置できる。
【００７０】
また、指示映像Ｐ１を投影する部位は、作業対象物Ｂｘが載せられる荷物Ｂ１の上面であったが、それに限定されない。図５に示すように、表示制御部１５は、作業対象物Ｂｘが配置される荷物Ｂ１の側面に、上向きの矢印からなる指示映像Ｐ３を映像表示部２０に表示させてもよい。また、表示制御部１５は、荷台１１０の側面１１２において作業対象物Ｂｘの配置予定位置の後側の部位に、下向きの矢印からなる指示映像Ｐ２を映像表示部２０に表示させてもよい。なお、図５の例では、３つの指示映像Ｐ１〜Ｐ３が投影されているが、３つの指示映像Ｐ１〜Ｐ３のうちの少なくとも１つが投影されていればよい。
【００７１】
また、表示制御部１５は、作業対象物Ｂｘの属性情報に基づいて、作業対象物Ｂｘを取り扱う際の注意事項に関する情報を含む指示映像を映像表示部２０に表示させてもよい。作業対象物Ｂｘの取り扱い方法に関する情報は、例えば、作業対象物Ｂｘがガラス製品などの壊れ物であることを示す情報、作業対象Ｂｘを置く方向が制限されている場合にその置く方向を示す情報、などである。
【００７２】
実施形態１及び上記の変形例では、映像表示部２０は指示映像Ｐ１〜Ｐ３を実空間のある位置に直接表示するプロジェクタ２１（投影装置）であるが、映像表示部２０は投影装置に限定されない。
【００７３】
映像表示部２０は、実空間（上記実施形態では、荷台１１０の内部空間）に関連付けた位置に指示映像Ｐ１〜Ｐ３を表示するものであれば、プロジェクタ２１以外でもよい。映像表示部２０は、透過型のディスプレイを通して見える実空間に指示映像Ｐ１を重畳して表示する拡張現実感（AR：augmented reality）に対応した透過型のヘッドマウントディスプレイでもよい。映像表示部２０が透過型のヘッドマウントディスプレイである場合、映像表示部２０が指示映像Ｐ１〜Ｐ３を表示する表示領域はヘッドマウントディスプレイの表示面となり、この表示面に指示映像Ｐ１〜Ｐ３が表示される。映像表示部２０は、実空間における指示映像Ｐ１〜Ｐ３の仮想の表示位置の座標を、ヘッドマウントディスプレイの表示面の座標に変換した（関連付けた）位置に、指示映像Ｐ１〜Ｐ３を表示する。
【００７４】
映像表示部２０は、例えば実空間の画像に指示映像Ｐ１〜Ｐ３を重畳して表示する非透過型のヘッドマウントディスプレイでもよい。ここで、実空間の画像は、カメラによって撮影された実空間の画像でもよいし、カメラによって撮影された実空間の画像に基づいて実空間の様子をコンピュータグラフィックスで作成された画像でもよい。この場合、映像表示部２０が指示映像Ｐ１〜Ｐ３を表示する表示領域は非透過型のヘッドマウントディスプレイの表示面となり、ヘッドマウントディスプレイに指示映像Ｐ１が表示される。映像表示部２０は、実空間における指示映像Ｐ１の仮想の表示位置の座標を、ヘッドマウントディスプレイの表示面の座標に変換した（関連付けた）位置に、指示映像Ｐ１を表示する。また、映像表示部２０は、内蔵のカメラで撮影された実空間の画像に指示映像Ｐ１〜Ｐ３を重畳して表示するタブレット端末等の情報端末でもよい。
【００７５】
実施形態１では、配置検出部３０は距離画像センサ３１を備えているが、配置検出部３０は距離画像センサ３１を備えるものに限定されない。配置検出部３０は、超音波、電波、光などで物体までの距離を測定する測距センサを備えるものでもよく、配置エリアＡ１内を走査して物体までの距離を測定することで、荷物Ｂ１の配置状態を検出してもよい。
【００７６】
また、識別情報検出部４０はバーコードリーダ４１を備えるものに限定されず、荷物Ｂ１に付加されたＲＦ（Radio Frequency）タグから識別情報を非接触で読み取るリーダなどでもよい。
【００７７】
実施形態１では、トラック１００の荷台１１０が荷物Ｂ１の配置エリアＡ１であったが、荷物Ｂ１の配置エリアはトラック１００の荷台１１０に限定されず、かご付き台車などでもよい。また、図６に示すように、荷物Ｂ１を載せるパレット４００を配置エリアＡ２としてもよい。また、荷物Ｂ１の配置エリアは、鉄道車両又は船舶によって輸送されるコンテナなどでもよい。
【００７８】
上記の実施形態では、配置エリアＡ１までベルトコンベア２１０，２１１によって荷物Ｂ１が運ばれてきたが、作業者３００が、施設２００内にある複数の荷物Ｂ１を人力で配置エリアＡ１まで運んでもよい。この場合、作業者３００が識別情報検出部４０に荷物Ｂ１（作業対象物Ｂｘ）に表示された識別情報を検出させると、表示制御部１５が、作業対象物Ｂｘの配置予定位置を指示する指示映像Ｐ１を映像表示部２０により実空間に関連付けた位置に表示させる。これにより、作業者３００は作業対象物Ｂｘを配置する配置予定位置を容易に理解でき、配置作業の作業性の向上を図ることができる。
【００７９】
（まとめ）
以上説明したように、第１の態様に係る配置支援システム（１）は、荷積情報算出部（１４）と、映像表示部（２０）と、を備える。荷積情報算出部（１４）は、配置エリア（Ａ１，Ａ２）に配置する予定の複数の荷物（Ｂ１）のそれぞれを配置エリア（Ａ１，Ａ２）内で配置する配置予定位置を少なくとも含む荷積情報を算出する。映像表示部（２０）は、荷積情報に基づいて、複数の荷物（Ｂ１）のうち作業対象の荷物（Ｂ１）である作業対象物（Ｂｘ）の配置予定位置を指示する指示映像（Ｐ１，Ｐ２，Ｐ３）を、実空間に関連付けた位置に表示する。
【００８０】
この態様によれば、作業者は、実空間に関連付けた位置に表示された指示映像Ｐ１を見て、配置エリア（Ａ１）に作業対象物（Ｂｘ）を作業を行うことができ、作業対象物（Ｂｘ）を配置する位置を間違えにくくなるので、荷積作業の作業性の向上を図ることができる。また、荷積情報算出部（１４）が複数の荷物（Ｂ１）の配置予定位置を含む荷積情報を算出するので、作業者の負担を減らすことができ、荷積作業の作業性の向上を図ることができる。
【００８１】
第２の態様に係る配置支援システム（１）は、第１の態様において、配置検出部（３０）と、判定部（１６）と、を更に備える。配置検出部（３０）は、複数の荷物（Ｂ１）のうち配置エリア（Ａ１，Ａ２）に配置された配置済み荷物（Ｂ１）の配置状態を検出する。判定部（１６）は、配置検出部（３０）の検出結果に基づいて、配置エリア（Ａ１，Ａ２）に配置された作業対象物（Ｂｘ）の配置の適否を判定する。
【００８２】
この態様によれば、判定部（１６）によって、配置エリア（Ａ１，Ａ２）に配置された配置済み荷物（Ｂ１）の配置を適否を判定でき、判定部（１６）の判定結果を配置済み荷物（Ｂ１）の配置の修正などに利用できる。
【００８３】
第３の態様に係る配置支援システム（１）では、第２の態様において、映像表示部（２０）は、判定部（１６）が作業対象物（Ｂｘ）の配置エリア（Ａ１，Ａ２）への配置が適切ではないと判定した場合、第１処理を行う。第１処理は、作業対象物（Ｂｘ）の配置エリア（Ａ１，Ａ２）への配置が適切ではないことを示す映像、および、適切な配置予定位置を示す指示映像（Ｐ１，Ｐ２，Ｐ３）の少なくとも一方を表示する処理である。
【００８４】
この態様によれば、作業者（３００）は、映像表示部（２０）によって表示された映像をもとに、作業対象物（Ｂｘ）の配置が適切ではないことに気付くことができ、作業対象物（Ｂｘ）の配置を修正するなどの対応をとることができる。
【００８５】
第４の態様に係る配置支援システム（１）では、第１〜第３のいずれか１つの態様において、荷積情報算出部（１４）は、複数の荷物（Ｂ１）のそれぞれの属性情報に基づいて荷積情報を算出する。
【００８６】
この態様によれば、荷積情報算出部（１４）は、配置エリア（Ａ１，Ａ２）に配置する予定の荷物（Ｂ１）の属性情報に応じて最適な配置予定位置を算出できる。
【００８７】
第５の態様に係る配置支援システム（１）では、第４の態様において、属性情報は、複数の荷物（Ｂ１）のそれぞれが配置エリア（Ａ１，Ａ２）から取り出される取出順に関する情報を含む。
【００８８】
この態様によれば、荷積情報算出部（１４）は、複数の荷物（Ｂ１）の取出順に基づいて、複数の荷物（Ｂ１）の配置予定位置を含む荷積情報を算出することができる。したがって、荷積情報算出部（１４）は、複数の荷物（Ｂ１）の取出作業を容易に行えるように、配置予定位置を算出することができる。
【００８９】
第６の態様に係る配置支援システム（１）では、第１〜第５のいずれかの態様において、指示映像（Ｐ１，Ｐ２，Ｐ３）は、配置エリア（Ａ１，Ａ２）に作業対象物（Ｂｘ）が配置されるときの作業対象物（Ｂｘ）の姿勢に関する情報を含む映像である。
【００９０】
この態様によれば、作業者（３００）が、指示映像（Ｐ１，Ｐ２，Ｐ３）に含まれる情報に対応した姿勢で作業対象物（Ｂｘ）を配置することで、作業対象物Ｂｘを適切な姿勢で配置することができる。
【００９１】
第７の態様に係る配置支援システム（１）では、第１〜第６のいずれかの態様において、荷積情報算出部（１４）は、複数の荷物（Ｂ１）のそれぞれを配置エリア（Ａ１，Ａ２）に配置する配置順と配置予定位置とを含む荷積情報を算出する。
【００９２】
この態様によれば、作業者（３００）が、荷積情報算出部（１４）によって算出された配置順と配置予定位置とに基づいて複数の荷物（Ｂ１）を配置することで、複数の荷物（Ｂ１）を配置エリア（Ａ１）において適切に配置することができる。
【００９３】
第８の態様に係る配置支援システム（１）では、第１〜第７のいずれかの態様において、複数の荷物（Ｂ１）のそれぞれには識別情報が付与される。配置支援システム（１）は取得部（１７）を更に備える。取得部（１７）は、作業対象物（Ｂｘ）に付与された識別情報を検出する識別情報検出部（４０）から作業対象物（Ｂｘ）の識別情報を取得する。映像表示部（２０）は、複数の荷物（Ｂ１）のうち取得部（１７）が取得した識別情報に対応する作業対象物（Ｂｘ）の配置予定位置を指示する指示映像（Ｐ１，Ｐ２，Ｐ３）を、実空間に関連付けた位置に表示する。
【００９４】
この態様によれば、識別情報検出部（４０）が作業対象物（Ｂｘ）に付与された識別情報を検出した結果に基づいて、作業対象物（Ｂｘ）の配置予定位置を指示する指示映像（Ｐ１，Ｐ２，Ｐ３）を、実空間に関連付けた位置に表示することができる。
【００９５】
第９の態様に係る配置支援システム（１）では、第１〜第８のいずれか態様において、映像表示部（２０）は、配置エリア（Ａ１，Ａ２）において実空間に関連付けた位置に指示映像（Ｐ１，Ｐ２，Ｐ３）を投影する。
【００９６】
この態様によれば、作業者（３００）は、配置エリア（Ａ１，Ａ２）に存在する物体に投影された指示映像（Ｐ１，Ｐ２，Ｐ３）を見ながら、作業対象物（Ｂｘ）を配置する作業を行うことができ、荷積作業の作業性の向上を図ることができる。
【００９７】
第１０の態様に係る配置支援システム（１）では、第９の態様において、映像表示部（２０）は、内部空間が配置エリア（Ａ１，Ａ２）となる箱形の荷台（１１０）の外側に配置される。映像表示部（２０）は、荷台（１１０）の外側から荷台（１１０）の内部空間に向かって指示映像（Ｐ１，Ｐ２，Ｐ３）を投影する。
【００９８】
この態様によれば、映像表示部（２０）を荷台（１１０）の外側に配置できる。
【００９９】
第１１の態様に係る配置支援システム（１）は、第９又は第１０の態様において、配置検出部（３０）を更に備える。配置検出部（３０）は、複数の荷物（Ｂ１）のうち配置エリア（Ａ１，Ａ２）に配置された配置済み荷物（Ｂ１）の配置状態を検出する。映像表示部（２０）は、配置検出部（３０）の検出結果に基づいて指示映像（Ｐ１，Ｐ２，Ｐ３）を投影する投影面を求め、投影面に指示映像（Ｐ１，Ｐ２，Ｐ３）を投影する。
【０１００】
この態様によれば、配置エリア（Ａ１，Ａ２）に配置された配置済み荷物（Ｂ１）を考慮して指示映像（Ｐ１，Ｐ２，Ｐ３）を投影する投影面を決定できる。
【０１０１】
第１２の態様に係る配置支援システム（１）では、第９〜第１１のいずれかの態様において、映像表示部（２０）は第２処理を行う。第２処理は、複数の荷物（Ｂ１）のうち配置エリア（Ａ１，Ａ２）に配置された配置済み荷物（Ｂ１）の上面が作業対象物（Ｂｘ）の配置予定位置であるときに、配置済み荷物（Ｂ１）に対して指示映像（Ｐ１，Ｐ３）を投影する処理である。
【０１０２】
この態様によれば、作業対象物（Ｂｘ）が載せられる配置済み荷物（Ｂ１）に指示映像（Ｐ１，Ｐ３）を投影することで、作業者（３００）が作業対象物（Ｂｘ）の配置予定位置を理解しやすくなる。
【０１０３】
第１３の態様に係る配置支援システム（１）は、第１〜第１２のいずれかの態様において、配置検出部（３０）を更に備える。配置検出部（３０）は、複数の荷物（Ｂ１）のうち配置エリア（Ａ１，Ａ２）に配置された配置済み荷物（Ｂ１）の配置状態を検出する。荷積情報算出部（１４）は、配置検出部（３０）によって検出された配置済み荷物（Ｂ１）の配置状態に基づいて、複数の荷物（Ｂ１）のうち配置エリア（Ａ１，Ａ２）に配置されていない荷物（Ｂ１）の配置予定位置を再度算出する。
【０１０４】
この態様によれば、配置済み荷物（Ｂ１）の配置状態を考慮して、複数の荷物（Ｂ１）のうち配置エリア（Ａ１，Ａ２）に配置されていない荷物（Ｂ１）の配置予定位置を算出し直すことができる。
【０１０５】
第１４の態様に係る配置支援システム（１）は、第１〜第１３のいずれかの態様において、配置検出部（３０）と、出力部（１８）と、を更に備える。配置検出部（３０）は、複数の荷物（Ｂ１）のうち配置エリア（Ａ１，Ａ２）に配置された配置済み荷物（Ｂ１）の配置状態を検出する。出力部（１８）は配置検出部（３０）の検出結果を出力する。
【０１０６】
この態様によれば、出力部（１８）が配置検出部（３０）の検出結果を出力するので、配置検出部（３０）の検出結果を、荷物（Ｂ１）を配置エリア（Ａ１，Ａ２）から移動させる際に利用できる。
【０１０７】
第１５の態様に係る配置支援方法は、算出ステップと、表示ステップと、を含む。算出ステップは、配置エリア（Ａ１，Ａ２）に配置する予定の複数の荷物（Ｂ１）のそれぞれを配置エリア（Ａ１，Ａ２）内で配置する配置予定位置を少なくとも含む荷積情報を算出する。表示ステップは、荷積情報に基づいて、複数の荷物（Ｂ１）のうち作業対象の荷物（Ｂ１）である作業対象物（Ｂｘ）の配置予定位置を指示する指示映像（Ｐ１，Ｐ２，Ｐ３）を、実空間に関連付けた位置に表示する。
【０１０８】
この態様によれば、作業者は、実空間に関連付けた位置に表示された指示映像（Ｐ１）を見て、配置エリア（Ａ１）に作業対象物（Ｂｘ）を作業を行うことができ、作業対象物（Ｂｘ）を配置する位置を間違えにくくなるので、荷積作業の作業性の向上を図ることができる。また、荷積情報算出部（１４）が複数の荷物（Ｂ１）の配置予定位置を含む荷積情報を算出するので、作業者の負担を減らすことができ、荷積作業の作業性の向上を図ることができる。
【０１０９】
第１６の態様に係るプログラムは、コンピュータシステムに、算出ステップと、表示制御ステップと、を実行させるためのプログラムである。算出ステップでは、配置エリア（Ａ１，Ａ２）に配置する予定の複数の荷物（Ｂ１）のそれぞれを配置エリア（Ａ１，Ａ２）内で配置する配置予定位置を少なくとも含む荷積情報を算出する。表示制御システムでは、荷積情報に基づいて、複数の荷物（Ｂ１）のうち作業対象の荷物（Ｂ１）である作業対象物（Ｂｘ）の配置予定位置を指示する指示映像（Ｐ１，Ｐ２，Ｐ３）を、映像表示部（２０）により実空間に関連付けた位置に表示させる。
【０１１０】
この態様によれば、作業者は、実空間に関連付けた位置に表示された指示映像（Ｐ１）を見て、配置エリア（Ａ１）に作業対象物（Ｂｘ）を作業を行うことができ、作業対象物（Ｂｘ）を配置する位置を間違えにくくなるので、荷積作業の作業性の向上を図ることができる。また、荷積情報算出部（１４）が複数の荷物（Ｂ１）の配置予定位置を含む荷積情報を算出するので、作業者の負担を減らすことができ、荷積作業の作業性の向上を図ることができる。
【０１１１】
上記態様に限らず、実施形態１に係る配置支援システム（１）の種々の構成（変形例を含む）は、配置支援方法、（コンピュータ）プログラム、又はプログラムを記録した非一時的記録媒体等で具現化可能である。
【０１１２】
第２〜第１４の態様に係る構成については、配置支援システム（１）に必須の構成ではなく、適宜省略可能である。
【符号の説明】
【０１１３】
１  配置支援システム
１４  荷積情報算出部
１５  表示制御部
１６  判定部
１７  取得部
１８  出力部
２０  映像表示部
３０  配置検出部
４０  識別情報検出部
１１０  荷台
Ａ１，Ａ２  配置エリア
Ｂ１  荷物
Ｂｘ  作業対象物
Ｐ１，Ｐ２，Ｐ３  指示映像
【図１】
2019104625.tif 000003
【図２】
2019104625.tif 000004
【図３】
2019104625.tif 000005
【図４】
2019104625.tif 000006
【図５】
2019104625.tif 000007
【図６】
2019104625.tif 000008